(57)【要約】【課題】位置決めピンの突出方向が位置決め孔の貫通方向に対して傾斜している場合において、位置決め孔をシール材によって確実に塞ぐことが可能な車両用内装材の位置決め構造を提供する。【解決手段】位置決め孔２１に挿通されることでドアインナパネル２０に対してアッパーボード３０を位置決めする位置決めピン４０と、対向面３５Ａからドアインナパネル２０に向かって立設される立設リブ５０と、立設リブ５０によって車室内側から支持され、位置決め孔２１を車室内側から塞ぐシール材７０と、を備え、位置決めピン４０は、ドアインナパネル２０側に向かうにつれて下降傾斜され、立設リブ５０は、位置決めピン４０の基端部を中心として放射状に延びる複数の第１リブ５１と、位置決めピン４０の基端部から下方に向かって延びる第２リブ５２と、第２リブ５２と直交する形で延びる第３リブ５３と、を備えることに特徴を有する。【選択図】図７
2014205387.tif 000002
【特許請求の範囲】
【請求項１】
長手状をなす位置決め孔が貫通形成された車両パネルに対して車両用内装材を位置決めするための車両用内装材の位置決め構造であって、
前記車両用内装材における前記車両パネル側の面から前記車両パネルに向かって突出され、前記位置決め孔に挿通されることで前記車両パネルに対して前記車両用内装材を位置決めする位置決めピンと、
前記車両用内装材の前記車両パネル側の面から前記車両パネルに向かって立設される立設リブと、
前記立設リブによって前記車両用内装材側から支持され、前記位置決め孔を前記車両用内装材側から塞ぐシール材と、を備え、
前記位置決めピンは、前記車両パネル側に向かうにつれて前記位置決め孔の長手方向における一端側に向かう形で傾斜され、当該位置決めピンの突出方向が前記位置決め孔の貫通方向に対して傾斜する方向に沿うものとされ、
前記立設リブは、
前記位置決めピンの基端部を中心として放射状に延びる複数の第１リブと、
前記位置決め孔の長手方向に沿うとともに、前記位置決めピンの基端部から前記一端側に向かって延びる第２リブと、
前記第２リブと直交する形で延びる第３リブと、を備える車両用内装材の位置決め構造。
【請求項２】
前記車両パネルは、ドアパネルとされ、
前記車両用内装材は、車両用ドアトリムを構成するアッパーボードとされ、
前記アッパーボードは、その上端部が、上方に向かうにつれて前記ドアパネルに向かう形で湾曲する形状をなしており、
前記位置決めピンは、前記アッパーボードと一体的に形成され、前記ドアパネルに向かうにつれて下降傾斜する形で突出されている請求項１に記載の車両用内装材の位置決め構造。
【請求項３】
前記シール材は、前記位置決めピンが挿通される挿通孔を有しており、
前記位置決めピンの外周面のうち、前記位置決め孔の長手方向における前記一端側を向く面には、前記挿通孔の内周面に当接する当接リブが前記一端側に向かって突出され、
前記当接リブの前記内周面に対する当接面は、前記車両パネルの延設面に対して直交する方向に沿って延びているものとされる請求項１又は請求項２に記載の車両用内装材の位置決め構造。
【発明の詳細な説明】
【技術分野】
【０００１】
本発明は、車両用内装材の位置決め構造に関する。
【背景技術】
【０００２】
従来、車両パネルに対して車両用内装材を位置決めするための位置決め構造として、下記特許文献１に記載のものが知られている。特許文献１に記載のものでは、車両用内装材（ドアトリム）側に設けられた位置決めピン（ロケートピン）を車両パネル（ドアインナパネル）に貫通形成された位置決め孔（貫通穴）に挿通することで、車両用内装材の前後方向の位置決めを行う構成となっている。
【先行技術文献】
【特許文献】
【０００３】
【特許文献１】特開平１１−３２１３１２号公報
【発明の概要】
【発明が解決しようとする課題】
【０００４】
ところで、車両パネルに位置決め孔を形成した場合、位置決め孔（より正確には位置決め孔の内周面と位置決めピンとの間の隙間）を通じて、水や空気などが車両パネルの車室内側に侵入することが想定される。このため、位置決め孔をシール材で塞ぐことが求められる。
【０００５】
ここで、図９に示すように、位置決めピン１の突出方向が位置決め孔２の貫通方向と一致する場合には、位置決めピン１の径を位置決め孔２の径により近い値で設定できるため、位置決めピン１と位置決め孔２の内周面との間に生じる隙間は比較的小さくなり、シール材などで位置決め孔を塞ぎやすい。
【０００６】
しかしながら、意匠や製造上の制約などから、図１０に示すように、位置決めピン３の突出方向が位置決め孔２の貫通方向と一致しない場合が想定される。製造上の制約の一例としては、成形型などを用いて位置決めピン３を車両用内装材６と一体的に成形する場合などを例示することができる。アンダーカット部を作らないようにするためには、位置決めピン３の突出方向は、成形型の型抜き方向と一致させる必要がある。このような場合、型抜き方向によっては、位置決めピン３の突出方向が位置決め孔２の貫通方向と一致しない事態が起こり得る。
【０００７】
一般的に車両パネル５に対する車両用内装材６の取付方向は、車両パネル５の延設面と直交する方向（位置決め孔４の貫通方向、図１０における左右方向）と一致するものとされる。このため、位置決めピン３の突出方向と位置決め孔２の貫通方向とが一致していない場合（位置決めピン３が貫通方向に対して傾斜している場合）において、位置決めピン３を位置決め孔４に挿通させるためには、位置決め孔４は、位置決めピン３が傾斜する方向（図１０では下方向）に延ばす必要があり、長手状の孔（図１０では上下方向に長い孔）となる。
【０００８】
このため、位置決めピン３の突出方向が位置決め孔４の貫通方向と一致しない場合には、図１０に示すように、位置決めピンの寸法よりも、位置決め孔の寸法が大きくなってしまう。このため、位置決めピン３と位置決め孔４の内周面との間の隙間は大きくなる。これにより、位置決め孔をシール材で塞ぎにくくなり、対策を講じる必要が生じる。
【０００９】
本発明は上記のような事情に基づいて完成されたものであって、位置決めピンの突出方向が位置決め孔の貫通方向に対して傾斜している場合において、位置決め孔をシール材によって確実に塞ぐことが可能な車両用内装材の位置決め構造を提供することを目的とする。
【課題を解決するための手段】
【００１０】
上記課題を解決するために、本発明は、長手状をなす位置決め孔が貫通形成された車両パネルに対して車両用内装材を位置決めするための車両用内装材の位置決め構造であって、前記車両用内装材における前記車両パネル側の面から前記車両パネルに向かって突出され、前記位置決め孔に挿通されることで前記車両パネルに対して前記車両用内装材を位置決めする位置決めピンと、前記車両用内装材の前記車両パネル側の面から前記車両パネルに向かって立設される立設リブと、前記立設リブによって前記車両用内装材側から支持され、前記位置決め孔を前記車両用内装材側から塞ぐシール材と、を備え、前記位置決めピンは、前記車両パネル側に向かうにつれて前記位置決め孔の長手方向における一端側に向かう形で傾斜され、当該位置決めピンの突出方向が前記位置決め孔の貫通方向に対して傾斜する方向に沿うものとされ、前記立設リブは、前記位置決めピンの基端部を中心として放射状に延びる複数の第１リブと、前記位置決め孔の長手方向に沿うとともに、前記位置決めピンの基端部から前記一端側に向かって延びる第２リブと、前記第２リブと直交する形で延びる第３リブと、を備えることに特徴を有する。
【００１１】
本発明においては、立設リブによってシール材を車室内側（車両用内装材側）から支持することができる。ここで、立設リブは、位置決めピンの基端部を中心として放射状に延びる複数の第１リブを備えている。これにより、位置決めピンの基端部付近では、第１リブの各々によってシール材を支持することができる。
【００１２】
ここで、本発明の位置決めピンは、車両パネル側に向かうにつれて位置決め孔の長手方向における一端側に向かう形で傾斜されている。この場合、位置決めピンを位置決め孔に対して車室内側から挿通させるためには、位置決めピンの基端部を、位置決め孔の長手方向における他端側に配し、位置決めピンの先端部を、位置決め孔の長手方向における一端側に配する必要がある（図１０における位置決めピン３及び位置決め孔４参照）。
【００１３】
このような構成の場合、位置決めピンの基端部を中心として放射状に延びる複数の第１リブだけでは、シール材を十分に支持することは難しい。なぜなら、位置決めピンの基端部を中心として放射状に延びる複数の第１リブは、中心（位置決めピンの基端部）から遠い部分程、隣り合う第１リブ間の間隔が大きくなってしまうためである。第１リブ間の間隔が大きくなると、その部分では、シール材を十分に支持することが難しい。
【００１４】
本発明では、上述のように位置決めピンが傾斜されているから、位置決めピンの基端部を位置決め孔の長手方向における他端側に配する必要がある。このため、位置決め孔の長手方向における一端側に対応する部分では、位置決めピンの基端部からの距離が遠くなってしまう。このため、仮に各第１リブを位置決め孔の一端側に対向するように延ばした場合には、位置決め孔の一端側では、隣り合う第１リブ間の間隔（シール材を支持しない部分の大きさ）が大きくなり、シール材を支持することが困難となる。これにより、シール材の一部が車室内側に屈曲し、位置決め孔を塞ぐことができない事態が起こり得る。
【００１５】
そこで、本発明では、上記第１リブに加え、位置決めピンの基端部から位置決め孔の一端側に向かって延びる第２リブと、第２リブと直交する形で延びる第３リブを備える構成とした。これにより、第１リブだけでは十分に支持することが難しいシール材の部分（位置決め孔の一端側に配される部分）を第２リブ及び第３リブによって確実に支持することができる。
【００１６】
具体的には、位置決め孔の長手方向に沿って延びる第２リブによって、シール材を位置決め孔の長手方向に亘って支持することができ、第２リブと直交する形で延びる第３リブによって、シール材を位置決め孔の幅方向（位置決め孔の長手方向と直交する方向）に亘って支持することができる。この結果、シール材が車両用内装材側に屈曲することを抑制でき、位置決め孔をシール材によって確実に塞ぐことが可能となる。
【００１７】
上記構成において、前記車両パネルは、ドアパネルとされ、前記車両用内装材は、車両用ドアトリムを構成するアッパーボードとされ、前記アッパーボードは、その上端部が、上方に向かうにつれて前記ドアパネルに向かう形で湾曲する形状をなしており、前記位置決めピンは、前記アッパーボードと一体的に形成され、前記ドアパネルに向かうにつれて下降傾斜する形で突出されているものとすることができる。
【００１８】
本発明のように、上方に向かうにつれてドアパネルに向かう形で湾曲する形状をなしているアッパーボードと位置決めピンとを、仮に一対の成形型で一体的に成形する場合、アッパーボードの意匠面（ドアパネルとは反対側の面）を良好に成形するために、一方の成形型（意匠面を形成するための成形型）を上方及び車室内側から型閉じする場合がある。この場合、他方の成形型（アッパーボードの裏面を形成するための成形型）は、車室外側に向かうにつれて下降傾斜する方向に型抜きする必要がある。このため、アッパーボードの裏面と一体的に形成される位置決めピンは、型抜き方向と同じ方向（位置決め孔の貫通方向に対して傾斜する方向）に突出する形状にすることで、アンダーカット部にならないようにする必要がある。
【００１９】
このように、アッパーボードにおいては、位置決めピンの突出方向が位置決め孔の貫通方向に対して傾斜する方向になり易いという事情がある。つまり、第１リブだけではシール材を支持し難い事態が起こり易い。この点、本発明であれば、第２リブ及び第３リブを備えているため、位置決めピンの突出方向が位置決めピンの貫通方向に対して傾斜している場合であっても、シール材を確実に支持することができ、好適である。
【００２０】
また、前記シール材は、前記位置決めピンが挿通される挿通孔を有しており、前記位置決めピンの外周面のうち、前記位置決め孔の長手方向における前記一端側を向く面には、前記挿通孔の内周面に当接する当接リブが前記一端側に向かって突出され、前記当接リブの前記内周面に対する当接面は、前記車両パネルの延設面に対して直交する方向に沿って延びているものとすることができる。
【００２１】
本発明では、シール材の挿通孔に位置決めピンを挿通させることで、位置決めピンに対してシール材を固定することができる。ここで、位置決めピンの外周面には、当接リブが設けられている。当接リブの当接面がシール材の挿通孔の内周面に当接することで、シール材の位置決めがされる。この当接面は、車両パネルの延設面に対して直交する方向に沿って延びているから、シール材を車両パネルの延設面上において確実に位置決めすることができる。これにより、シール材が車両パネル、ひいては位置決め孔に対して位置ずれする事態を抑制でき、より確実に位置決め孔を塞ぐことができる。
【発明の効果】
【００２２】
本発明によれば、位置決めピンの突出方向が位置決め孔の貫通方向に対して傾斜している場合において、位置決め孔をシール材によって確実に塞ぐことが可能な車両用内装材の位置決め構造を提供することができる。
【図面の簡単な説明】
【００２３】
【図１】本発明の一実施形態に係るドアトリムを示す斜視図
【図２】図１のアッパーボードを裏面から視た図
【図３】図２の位置決めピン付近を拡大して示す斜視図
【図４】図３の位置決めピンにシール材を取り付けた状態を示す斜視図
【図５】図３の位置決めピンを突出端側（図６の矢線で示す方向）から視た図
【図６】アッパーボードを示す断面図（図２のＡ−Ａ線で切断した図に対応）
【図７】図６において位置決めピン付近を拡大して示す断面図
【図８】比較例を示す図
【図９】位置決めピンの突出方向と位置決め孔の貫通方向が一致している構成を示す断面図
【図１０】位置決めピンの突出方向と位置決め孔の貫通方向が一致していない構成を示す断面図
【発明を実施するための形態】
【００２４】
本発明の一実施形態を図１ないし図８によって説明する。図１は、本実施形態の車両用ドアトリム１０（車両用内装材）を示す斜視図である。
【００２５】
車両用ドアトリム１０は、トリムボード１１を備えている。トリムボード１１は、例えば、合成樹脂材料、あるいは合成樹脂材料と天然繊維（ケナフなど）を混合した材料等を板状に成形することで構成されている。
【００２６】
トリムボード１１は、図６に示すようにドアインナパネル２０（ドアパネル、車両パネル）と対向配置され、ドアインナパネル２０に対して取り付けられる。本実施形態では、トリムボード１１は、図１に示すように、例えば、アッパーボード３０、ミドルボード１３、ロアボード１４から分割構成されている。
【００２７】
また、トリムボード１１の車室内側の面の一部又は全部には、表皮材が貼り付けられている（図６参照）。なお、図６においては、アッパーボード３０に貼り付けられる表皮材３０Ｂと、ミドルボード１３に貼り付けられる表皮材１３Ａとを図示している。
【００２８】
図１に示すように、アッパーボード３０には、インサイドハンドル１７が取り付けられる取付孔３１が形成されている。また、ミドルボード１３とロアボード１４の境界に沿ってアームレスト１６が設けられており、ロアボード１４には、スピーカグリル１５が設けられている。
【００２９】
図２は、アッパーボード３０を裏側から視た図である。アッパーボード３０は、車両前後方向に長い板状をなしている。また、アッパーボード３０は、その上端部が、上方に向かうにつれてドアインナパネル２０に向かう形で湾曲する形状をなしている。
【００３０】
アッパーボード３０の裏面には、クリップ（図示せず）を保持可能な複数のクリップ座３２が形成されている。アッパーボード３０は、クリップ座３２に保持されたクリップを介してドアインナパネル２０に取り付けられる。
【００３１】
次に、ドアインナパネル２０に対するアッパーボード３０の位置決め構造１９（図６参照）について説明する。アッパーボード３０の裏面において、車両前後方向の中央部分には、図２及び図６に示すように、立壁部３７がドアインナパネル２０側に立設されている。立壁部３７の立設端には、ドアインナパネル２０と対向配置される台座部３５が形成されている。
【００３２】
また、アッパーボード３０の裏面には、図６に示すように、上下方向に延びる補強リブ３６が形成されている。この補強リブ３６は、その上端がアッパーボード３０の上端付近まで達している。また、補強リブ３６は、その下端において立壁部３７と接続されている。
【００３３】
本実施形態では、図６に示すように、台座部３５がアッパーボード３０の下端部に形成されている。なお、アッパーボード３０の下端部は、車室内側に屈曲された段差部３３とされる。段差部３３の裏面から車室外側に立設された立壁部３８が台座部３５の下端と一体的に接続されている。
【００３４】
台座部３５は、ドアインナパネル２０と対向配置される対向面３５Ａ（車両用内装材の車両パネル側の面）を有している。対向面３５Ａには、ドアインナパネル２０に向かって突出される位置決めピン４０と、ドアインナパネル２０に向かって立設される立設リブ５０が形成されている。位置決めピン４０は、図６に示すように、ドアインナパネル２０に貫通形成された位置決め孔２１に挿通される構成となっている。
【００３５】
図５に示すように、車両前後方向において、位置決めピン４０の長さと位置決め孔２１の長さは、ほぼ同じ値に設定されている。これにより、位置決めピン４０が位置決め孔２１に挿通されることで、ドアインナパネル２０に対してアッパーボード３０が車両前後方向において位置決めされる。
【００３６】
位置決めピン４０を設けることで、ドアインナパネル２０に対してアッパーボード３０を取り付ける際の位置合わせを行うことができる。なお、図５では、位置決め孔２１を２点鎖線で示してある。
【００３７】
また、位置決めピン４０は、図６に示すように、ドアインナパネル２０に向かうにつれて下降傾斜する形で突出されている。位置決めピン４０は、図６に示すように、台座部３５及びアッパーボード３０と一体的に形成されている。
【００３８】
なお、本実施形態において位置決めピン４０が下降傾斜している理由は、次の通りである。本実施形態ではアッパーボード３０、台座部３５、及び位置決めピン４０を成形型を用いた射出成形によって一体的に成形する。具体的には、図示しない一対の成形型の間にアッパーボード３０、台座部３５、及び位置決めピン４０の形状に対応した成形空間を設け、その成形空間に溶融樹脂を射出することでアッパーボード３０、台座部３５、及び位置決めピン４０を一体的に成形する。
【００３９】
また、アッパーボード３０の意匠面（車室内側）には、意匠性を高くするための模様（例えば、凹凸をなすシボ模様など）が形成されることがある。このような模様を形成するために、一対の成形型のうち、意匠面を成形する成形型の成形面に模様を形成しておく。これにより、成形面の模様が意匠面に形成される（転写される）。
【００４０】
ところで、成形型を用いてアッパーボード３０の意匠面に模様を形成する場合、成形型の型閉じ（及び型開き）方向は、意匠面に対して垂直に近い方が好ましい。このようにすれば、より確実に模様を意匠面に形成することができる。
【００４１】
ここで、アッパーボード３０は、図６に示すように、その上端部が上方に向かうにつれてドアインナパネル２０に向かう形で湾曲する形状をなしている。このため、アッパーボード３０の上端付近では、意匠面３０Ａは、ほぼ上方を向いている。このため、意匠面３０Ａに模様を形成するためには、一対の成形型のうち、一方の成形型（アッパーボード３０の意匠面側を成形する成形型）を斜め上方（上側及び車室外側）に向かって型抜きすることが好ましい。なお、図６において、一方の成形型の型抜き方向を矢線Ｙ１で示す。
【００４２】
これにより、他方の成形型（アッパーボード３０の裏面側を成形する成形型）は、一方の成形型の型抜き方向と反対側（ドアインナパネル２０に向かうにつれて下降傾斜する方向）に型抜きを行う必要がある。なお、図６において、他方の成形型の型抜き方向を矢線Ｙ２で示す。
【００４３】
他方の成形型を用いて位置決めピン４０を成形するためには、型抜き時に位置決めピン４０がアンダーカット部とならないようにする必要がある。このためには、位置決めピン４０の突出方向を型抜き方向Ｙ２と一致させる必要がある。このような事情から、本実施形態では、位置決めピン４０の突出方向は、位置決めピン４０を成形するための成形型の型抜き方向、言い換えると、ドアインナパネル２０に向かうにつれて下降傾斜する方向に沿うものとされる。
【００４４】
また、位置決め孔２１の貫通方向は、ドアインナパネル２０の延設面に対して直交する方向（車室内外方向）に沿うものとされる。このため、位置決めピン４０の突出方向は位置決め孔２１の貫通方向に対して傾斜する方向に沿うものとされる。
【００４５】
また、本実施形態では、各クリップ座３２の各クリップ（図示せず）をドアインナパネル２０に取り付けるために、ドアインナパネル２０に対してアッパーボード３０が車室内側（図６の左側）から、車室内外方向（図６の左右方向、ドアインナパネル２０の延設面と直交する方向）に沿って取り付けられる構成となっている。
【００４６】
このため、位置決め孔２１は、上下方向に長い略方形状をなしている（図５参照）。これにより、下降傾斜する位置決めピン４０を車室内側から車室内外方向に沿って、位置決め孔２１に挿通させることができる。また、位置決めピン４０は、ドアインナパネル２０側に向かうにつれて位置決め孔２１の長手方向（上下方向）における一端側（下側）に向かう形で傾斜されていると言うこともできる。
【００４７】
本実施形態において、位置決めピン４０には、シール材７０が取り付けられている。シール材７０は、図４に示すように、平面視方形状の板状部材とされる。シール材７０は、柔軟性及び弾性を有する材質（例えば、発泡ウレタン樹脂など）によって構成されている。
【００４８】
図４及び図７に示すように、シール材７０には、厚さ方向に貫通する挿通孔７１が形成されている。挿通孔７１に位置決めピン４０が挿通されることで、シール材７０が位置決めピン４０に対して取り付けられている。
【００４９】
シール材７０は、立設リブ５０によって車室内側から支持され、位置決め孔２１を車室内側から塞ぐものとされる。なお、シール材７０は、例えば、接着剤や粘着テープなどで、立設リブ５０における車室外側の面に貼り付けられている。
【００５０】
図７に示すように、上下方向において、シール材７０は、位置決め孔２１よりも長いものとされる。また、図５に示すように、車両前後方向において、シール材７０は、位置決め孔２１よりも長いものとされる。なお、図５では、シール材７０を２点鎖線で示してある。
【００５１】
つまり、シール材７０は、図７に示すように、位置決め孔２１を車室内側から塞ぐ大きさで設定されている。なお、シール材７０は、図３及び図４に示すように、台座部３５の対向面３５Ａよりも一回り大きいものとされる。
【００５２】
また、シール材７０の外周端部（位置決め孔２１と重なる部分よりも外側の領域）は、ドアインナパネル２０における位置決め孔２１の孔縁部２２に対して密着されている。これにより、位置決め孔２１を通って外気や水が車室内へ浸入する事態を防止することができる。
【００５３】
位置決めピン４０は、図７に示すように、突出端側に向かうにつれて径が小さくなる形状をなしている。これにより、位置決めピン４０をシール材７０の挿通孔７１に挿通させ易くなっている。また、位置決めピン４０は、車室外側に開口された略円筒形状をなしている。
【００５４】
また、図７に示すように、位置決めピン４０の外周面のうち、下方（位置決め孔の長手方向における一端側）を向く面には、挿通孔７１の内周面７１Ａに当接する当接リブ４１が下方に向かって突設されている。
【００５５】
当接リブ４１の内周面７１Ａに対する当接面４１Ａは、ドアインナパネル２０に向かうにつれて、下方に向かう形で延設された延設面とされる。この当接面４１Ａの水平方向に対する傾斜角度は、位置決めピン４０の水平方向に対する傾斜角度よりも小さいものとされる。つまり、当接面４１Ａの延設方向は、位置決めピン４０の突出方向（図７における位置決めピン４０の軸線Ｌ１参照）と相違するものとされる。
【００５６】
この当接面４１Ａは、シール材７０の位置決めを行うものとされ、当接面４１Ａにシール材７０の内周面７１Ａが当接することで、シール材７０が上方へ変位することが規制される。この当接面４１Ａは、車室内外方向（ドアインナパネル２０の延設面に対して鉛直となる方向）に沿って延びている。また、当接リブ４１の車室内側の端部は、図３に示すように、第２リブ５２と連結されている。これにより、当接リブ４１によって、位置決めピン４０の補強がされている。
【００５７】
立設リブ５０は、図３及び図５に示すように、位置決めピン４０の基端部４２を中心として放射状に延びる複数の第１リブ５１と、位置決め孔２１の長手方向に沿うとともに、位置決めピン４０の基端部４２から下側に向かって延びる第２リブ５２と、第２リブ５２と直交する形で延びる第３リブ５３と、を備えている。
【００５８】
本実施形態では、位置決めピン４０の基端部４２から、５本の第１リブ５１が延設されている。図５に示すように、複数の第１リブ５１は、位置決めピン４０の基端部４２を中心として、４５度間隔で配列されている。
【００５９】
第２リブ５２と第３リブ５３とは十字状に配されている。第２リブ５２は、図５に示すように、その下端が位置決め孔２１の孔縁部に達する長さで設定されている。
【００６０】
第３リブ５３は、車両前後方向に延設されている。図５に示すように、第３リブ５３の車両前後方向（図５の左右方向）の長さは、位置決め孔２１の車両前後方向の長さ（位置決め孔２１の幅）よりも大きい値で設定されている。
【００６１】
また、第３リブ５３は、複数の第１リブ５１のうち、車両前後方向に沿って延びる第１リブ５１Ｄ，５１Ｅとそれぞれ平行状をなしている。また、図５に示すように、第２リブ５２と第３リブ５３とが交差する点Ｐ１は、第２リブ５２の延設方向（図５の上下方向）における中間部分に配されている。
【００６２】
次に、本実施形態の効果について説明する。本実施形態においては、立設リブ５０によってシール材７０を車室内側（アッパーボード３０側）から支持することができる。ここで、立設リブ５０は、位置決めピン４０の基端部４２を中心として放射状に延びる複数の第１リブ５１を備えている。これにより、位置決めピン４０の基端部４２付近では、第１リブ５１の各々によってシール材７０を支持することができる。
【００６３】
ここで、本実施形態の位置決めピン４０は、図７に示すように、ドアインナパネル２０側に向かうにつれて下側（位置決め孔２１の長手方向における一端側）に向かう形で傾斜されている。この場合、位置決めピン４０を位置決め孔２１に対して車室内側から挿通させるためには、位置決めピン４０の基端部４２を、位置決め孔２１の上端側（長手方向における他端側）に配し、位置決めピン４０の先端部４３を、位置決め孔２１の下端側に配する必要がある。
【００６４】
このような構成の場合、位置決めピン４０の基端部４２を中心として放射状に延びる第１リブ５１だけでは、シール材７０を十分に支持することは難しい。なぜなら、位置決めピン４０の基端部４２を中心として放射状に延びる複数の第１リブ５１は、中心（位置決めピン４０の基端部４２）から遠い部分程、隣り合う第１リブ５１間の間隔が大きくなってしまうためである。これについて、図８の比較例を用いて具体的に説明する。図８は、位置決めピン４０から放射状に延びる第１リブ５１のみを備える構成である。
【００６５】
図８の比較例に示すように、複数の第１リブ５１のみを備える構成では、位置決め孔２１の下端側では、位置決めピン４０の基端部４２（放射状をなす各第１リブの中心）からの距離が遠くなってしまい、隣接するリブ（例えば、隣接する第１リブ５１Ｃ及び第１リブ５１Ｂ参照）間の間隔が大きくなってしまう。隣接するリブ間の間隔（シール材７０を支持しない部分の大きさ）が大きいと、その部分では、シール材７０を支持することが困難となる。
【００６６】
これにより、シール材７０の一部（位置決め孔２１の長手方向における一端側の部分）がアッパーボード３０側に屈曲する可能性がある。仮に、シール材７０の一部がアッパーボード３０側に屈曲すると、位置決め孔２１をシール材７０によって塞ぐことができない。なお、図７では、シール材７０の一部７０Ａ（２点鎖線で図示）がアッパーボード３０側に屈曲し、位置決め孔２１の一部が塞がれていない状態を示してある。
【００６７】
このような事態（シール材７０の屈曲）を防ぐために、本実施形態では、第１リブ５１に加え、位置決めピン４０の基端部４２から下側に向かって延びる第２リブ５２と、第２リブ５２と直交する形で延びる第３リブ５３を備える構成とした。これにより、第１リブ５１だけでは十分に支持することが難しいシール材７０を第２リブ５２及び第３リブ５３によって確実に支持することができる。
【００６８】
具体的には、位置決め孔２１の長手方向に沿って延びる第２リブ５２によって、シール材７０を位置決め孔２１の長手方向に亘って支持することができ、第２リブ５２と直交する形で延びる第３リブ５３によって、シール材７０を位置決め孔２１の幅方向（位置決め孔２１の長手方向と直交する方向、図８の左右方向）に亘って支持することができる。この結果、シール材７０がアッパーボード３０側に屈曲する事態を抑制でき、位置決め孔２１をシール材７０によって確実に塞ぐことが可能となる。
【００６９】
上記構成において、アッパーボード３０は、その上端部が、上方に向かうにつれてドアインナパネル２０に向かう形で湾曲する形状をなしており、位置決めピン４０は、アッパーボード３０と一体的に形成され、ドアインナパネル２０に向かうにつれて下降傾斜する形で突出されている。
【００７０】
アッパーボード３０においては、上述したような成形上の事情（アッパーボード３０の裏面側を成形する成形型の型抜き方向Ｙ２がドアインナパネル２０に向かうにつれて下降傾斜する方向となること）があり、位置決めピン４０の突出方向は、型抜き方向Ｙ２と一致させる必要がある。このため、位置決めピン４０の突出方向が位置決め孔２１の貫通方向に対して傾斜する方向になり易い。つまり、第１リブ５１だけではシール材７０を支持し難い事態が起こり易い。この点、本実施形態であれば、第２リブ５２及び第３リブ５３を備えているため、位置決めピン４０の突出方向が位置決めピン４０の貫通方向に対して傾斜している場合であっても、シール材７０を確実に支持することができ、好適である。
【００７１】
また、シール材７０は、位置決めピン４０が挿通される挿通孔７１を有しており、位置決めピン４０の外周面のうち、下側を向く面には、挿通孔７１の内周面７１Ａに当接する当接リブ４１が下側に向かって突出され、当接リブ４１の内周面７１Ａに対する当接面４１Ａは、ドアインナパネル２０の延設面に対して鉛直となる方向に沿って延びている。
【００７２】
本実施形態では、シール材７０の挿通孔７１に位置決めピン４０を挿通させることで、位置決めピン４０に対してシール材７０を固定することができる。ここで、位置決めピン４０の外周面には、当接リブ４１が設けられている。当接リブ４１の当接面４１Ａがシール材７０の挿通孔７１の内周面７１Ａに当接することで、シール材７０の位置決めがされる。この当接面４１Ａは、ドアインナパネル２０の延設面に対して直交する方向に沿って延びている。このため、シール材７０をドアインナパネル２０の延設面上において確実に位置決めすることができる。
【００７３】
具体的には、図７に示すように、当接面４１Ａは、車室内外方向に沿って延びるとともに下方を向く面とされる。これにより、シール材７０の内周面７１Ａが当接面４１Ａに当接することで、内周面７１Ａを下方から確実に受けることができる。このため、シール材７０が上方へ変位する事態を確実に規制することができ、シール材７０を位置決めすることができる。これにより、シール材７０が位置決め孔２１に対して位置ずれする事態を抑制でき、より確実に位置決め孔２１を塞ぐことができる。
【００７４】
仮に、当接リブ４１を備えていない構成の場合、シール材７０の内周面７１Ａは、位置決めピン４０の外周面に対して下方から当接することになる。位置決めピン４０は、車室外側に向かうにつれて下降傾斜する方向に突出されているから、その外周面も車室外側に向かうにつれて下降傾斜する傾斜面とされる。このため、位置決めピン４０に対して車室外側からシール材７０を取り付ける（挿通孔７１に位置決めピン４０を挿通する）際には、シール材７０は、位置決めピン４０の外周面にガイドされ、車室内側に向かうにつれて上方へ向かうことになる。これにより、位置決め孔２１に対して、シール材７０が上方へずれることが懸念される。
【００７５】
本実施形態では、車室内外方向に沿って延びる当接面４１Ａによってシール材７０の内周面７１Ａを受けることができる。このため、シール材７０を位置決めピン４０に取り付ける際にシール材７０が上方へ変位する事態を規制することができる。これにより、位置決め孔２１を確実に塞ぐ位置にシール材７０を配置することができる。
【００７６】
＜他の実施形態＞
本発明は上記記述及び図面によって説明した実施形態に限定されるものではなく、例えば、次のような実施形態も本発明の技術的範囲に含まれる。
【００７７】
（１）上記実施形態では、車両用内装材としてドアトリム１０（より詳しくは、アッパーボード３０）を例示したが、これに限定されない。車両用内装材としては、位置決めピン４０を備えた車両用内装材であればよい。車両用内装材として、例えば、ピラーガーニッシュなどを挙げることができる。
【００７８】
（２）上記実施形態では、車両パネルとして、ドアパネル（より詳しくは、ドアインナパネル２０）を例示したが、これに限定されない。車両パネルとして、例えば、ピラーパネルなどを挙げることができる。
【００７９】
（３）上記実施形態では、位置決めピン４０がドアインナパネル２０に向かうにつれて下降傾斜する構成を例示したが、これに限定されない。例えば、位置決めピン４０がドアインナパネル２０に向かうにつれて車両前側に向かう形で傾斜する構成としてもよい。この場合、位置決め孔２１は、車両前後方向に長い形状とすればよい。
【００８０】
（４）上記実施形態では、アッパーボード３０に設けられた台座部３５に位置決めピン４０を形成する構成を例示したが、これに限定されない。台座部３５を備えていなくてもよく、位置決めピン４０は、アッパーボード３０の裏面に直接的に形成されていてもよい。
【００８１】
（５）当接面４１Ａの延設方向（水平方向に対する傾斜角度）は、上記実施形態で例示したものに限定されず適宜変更可能である。当接面４１Ａの延設方向は、位置決めピン４０の突出方向と相違していればよい。
【００８２】
（６）上記実施形態では、第３リブ５３を１本のみ設ける構成を例示したが、これに限定されない。例えば、複数の第３リブ５３が、第２リブ５２の延設方向（上下方向）に沿って配列されていてもよい。
【００８３】
（７）位置決めピン４０の形状は略円筒状に限定されず、適宜変更可能である。位置決めピン４０は、例えば、角柱状をなしていてもよい。また、位置決め孔２１の形状も略方形状に限定されず適宜変更可能である。
【符号の説明】
【００８４】
１０…車両用ドアトリム、１９…アッパーボードの位置決め構造（車両用内装材の位置決め構造）、２０…ドアインナパネル（車両パネル、ドアパネル）、２１…位置決め孔、２２…孔縁部（車両パネルにおける前記位置決め孔の孔縁部）、３０…アッパーボード（車両用内装材）、３５Ａ…対向面（車両用内装材における車両パネル側の面）、４０…位置決めピン、４１…当接リブ、４１Ａ…当接リブの内周面に対する当接面、５０…立設リブ、５１…第１リブ、５２…第２リブ、５３…第３リブ、７０…シール材、７１…挿通孔、７１Ａ…挿通孔の内周面
【図１】
2014205387.tif 000003
【図２】
2014205387.tif 000004
【図３】
2014205387.tif 000005
【図４】
2014205387.tif 000006
【図５】
2014205387.tif 000007
【図６】
2014205387.tif 000008
【図７】
2014205387.tif 000009
【図８】
2014205387.tif 000010
【図９】
2014205387.tif 000011
【図１０】
2014205387.tif 000012